(57)【要約】【課題】画素の高集積化が可能であるように画素配列と電極配列を改善したプラズマディスプレイパネルを提供すること。【解決手段】本発明のプラズマディスプレイパネルは，向かい合う対向面をそれぞれ有し，それらの間の空間に区画される多数の放電セルを備える前面基板および背面基板と，前記前面基板と前記背面基板との間で第１方向に沿って形成されるアドレス電極と，前記前面基板と前記背面基板との間で前記アドレス電極と電気的に離隔しかつ前記第１方向と交差する第２方向に沿って形成される表示電極とを含む。この際，一つの画素を構成する複数の放電セルのうち少なくとも２つは，同一のアドレス電極に対応して駆動される。【選択図】図２
2006332065.tif 000002
【特許請求の範囲】
【請求項１】
向かい合う対向面を形成し，それらの間の空間が区画されて形成された放電セルを備える前面基板および背面基板と；
前記前面基板と前記背面基板との間で第１方向に沿って形成されるアドレス電極と；
前記前面基板と前記背面基板との間で前記アドレス電極と電気的に離隔し，かつ，前記第１方向と交差する第２方向に沿って形成される表示電極と；
を備え，
一つの画素を構成する複数の放電セルのうち，少なくとも２つが同一のアドレス電極によって駆動されることを特徴とする，プラズマディスプレイパネル。
【請求項２】
前記同一のアドレス電極により駆動される２つの放電セルは，互いに異なる色相の蛍光体層を有することを特徴とする，請求項１に記載のプラズマディスプレイパネル。
【請求項３】
前記表示電極は，各放電セルを駆動する維持電極と走査電極とを備え，
各画素に対応する走査電極とアドレス電極とは，（アドレス電極の個数：走査電極の個数＝８：３）の比となるように配列されることを特徴とする，請求項１または２のいずれかに記載のプラズマディスプレイパネル。
【請求項４】
前記表示電極は，各放電セルの境界を通過しながら，前記境界を中心として隣り合った一対の放電セルの中心に向かって延びる突出電極を備えることを特徴とする，請求項１〜３のいずれかに記載のプラズマディスプレイパネル。
【請求項５】
前記表示電極は，各放電セルを駆動する維持電極と走査電極とを備え，
前記走査電極は，各放電セルの境界を通過しながら，前記境界を中心として隣り合った一対の放電セルに共通の電圧を印加することを特徴とする，請求項１〜４のいずれかに記載のプラズマディスプレイパネル。
【請求項６】
前記各画素は，赤色，緑色，青色の放電セルを備えることを特徴とする，請求項１〜５のいずれかに記載のプラズマディスプレイパネル。
【請求項７】
前記各画素は，３個の放電セルからなり，前記各画素を構成する放電セルの中心は，三角形状に配置されることを特徴とする，請求項１〜６のいずれかに記載のプラズマディスプレイパネル。
【請求項８】
前記各放電セルは，六角形の平面形状を持つことを特徴とする，請求項１〜７のいずれかに記載のプラズマディスプレイパネル。
【請求項９】
前記各放電セルは，矩形の平面形状を持つことを特徴とする，請求項１〜７のいずれかに記載のプラズマディスプレイパネル。
【請求項１０】
前記放電セルは，前記第１方向に隣り合った一対の放電セルの境界の延長線が，前記第２方向に隣り合った放電セルの中心を通過するように配列されることを特徴とする，請求項１〜９のいずれかに記載のプラズマディスプレイパネル。
【請求項１１】
前記各画素を構成する副画素のいずれか２つは，前記第２方向に並んで隣接配置されることを特徴とする，請求項１〜１０のいずれかに記載のプラズマディスプレイパネル。
【請求項１２】
向かい合う対向面を形成し，それらの間の空間に区画されて形成される多数の放電セルを備える前面基板および背面基板と；
前記前面基板と前記背面基板との間で，第１方向に沿って形成されるアドレス電極と；
前記前面基板と前記背面基板との間で，前記アドレス電極と電気的に離隔し，かつ，前記第１方向と交差する第２方向に沿って形成される表示電極と；
を備え，前記各アドレス電極は，少なくとも２つの互いに異なる色相を持つ放電セルに対応することを特徴とする，プラズマディスプレイパネル。
【請求項１３】
前記各アドレス電極は，赤色，緑色，青色の放電セルに対応することを特徴とする，請求項１２に記載のプラズマディスプレイパネル。
【請求項１４】
前記各アドレス電極に対応する，前記第１方向に隣り合った一対の放電セルは，互いに異なる色相の蛍光体層を有することを特徴とする，請求項１２または１３のいずれかに記載のプラズマディスプレイパネル。
【請求項１５】
前記表示電極は，各放電セルに対応する，維持電極と走査電極とを備え，
各画素に対応する，走査電極とアドレス電極とは，（アドレス電極の個数：走査電極の個数＝８：３）の比となるように配列されることを特徴とする，請求項１２〜１４のいずれかに記載のプラズマディスプレイパネル。
【請求項１６】
前記表示電極は，各放電セルの境界を通過しながら，前記境界を中心として隣り合った一対の放電セルの中心に向かって延びる突出電極を備えることを特徴とする，請求項１２〜１５のいずれかに記載のプラズマディスプレイパネル。
【請求項１７】
前記各放電セルは，六角形の平面形状を持つことを特徴とする，請求項１２〜１６のいずれかに記載のプラズマディスプレイパネル。
【請求項１８】
前記各画素は，赤色，緑色，青色の放電セルを備えることを特徴とする，請求項１２〜１７のいずれかに記載のプラズマディスプレイパネル。
【請求項１９】
前記各画素は，３個の放電セルからなり，
前記各画素を構成する放電セルの中心は，三角形状に配置されることを特徴とする，請求項１２〜１８のいずれかに記載のプラズマディスプレイパネル。
【請求項２０】
向かい合う対向面を形成し，それらの間の空間に区画されて形成される多数の放電セルを備える前面基板および背面基板と；
前記前面基板と前記背面基板との間で第１方向に沿って形成されるアドレス電極と；
前記前面基板と前記背面基板との間で前記アドレス電極と電気的に離隔し，かつ，前記第１方向と交差する第２方向に沿って形成される表示電極と；
を備え，前記表示電極は，各放電セルに対応する，維持電極と走査電極とを備え，複数の放電セルが集まって形成された各画素に対応する，走査電極とアドレス電極とは，（アドレス電極の個数：走査電極の個数＝８：３）の比となるように配列されることを特徴とする，プラズマディスプレイパネル。
【請求項２１】
前記各アドレス電極に対応する，前記第１方向に隣り合った一対の放電セルは，互いに異なる色相の蛍光体層を有することを特徴とする，請求項２０に記載のプラズマディスプレイパネル。
【請求項２２】
前記表示電極は，各放電セルの境界を通過しながら，前記境界を中心として隣り合った一対の放電セルの中心に向かって延びる突出電極を備えることを特徴とする，請求項２０または２１のいずれかに記載のプラズマディスプレイパネル。
【請求項２３】
前記各放電セルは，六角形の平面形状を持つことを特徴とする，請求項２０〜２２のいずれかに記載のプラズマディスプレイパネル。
【請求項２４】
前記各画素は，赤色，緑色，青色の放電セルを備えることを特徴とする，請求項２０〜２３のいずれかに記載のプラズマディスプレイパネル。
【請求項２５】
前記各画素は，３個の放電セルからなり，
前記各画素を構成する放電セルの中心は，三角形状に配置されることを特徴とする，請求項２０〜２４のいずれかに記載のプラズマディスプレイパネル。
【請求項２６】
向かい合う対向面を形成し，それらの間の空間に区画されて形成される放電セルを備える，前面基板および背面基板と；
前記前面基板と前記背面基板との間で第１方向に沿って形成されるアドレス電極と；
前記前面基板と前記背面基板との間で前記アドレス電極と電気的に離隔し，かつ，前記第１方向と交差する第２方向に沿って形成される表示電極と；
を備え，
複数の放電セルが集まって形成された各画素には，２つのアドレス電極が対応することを特徴とする，プラズマディスプレイパネル。
【請求項２７】
前記表示電極は，各放電セルに対応する維持電極と走査電極とを備え，
各画素に対応する走査電極とアドレス電極とは，（アドレス電極の個数：走査電極の個数＝８：３）の比となるように配列されることを特徴とする，請求項２６に記載のプラズマディスプレイパネル。
【請求項２８】
前記表示電極は，各放電セルに対応する維持電極と走査電極とを備え，
前記走査電極は，各画素に３／４個が対応することを特徴とする，請求項２６または２７のいずれかに記載のプラズマディスプレイパネル。
【請求項２９】
前記表示電極は，各放電セルの境界を通過しながら，前記境界を中心として隣り合った一対の放電セルの中心に向かって延びる突出電極を備えることを特徴とする，請求項２６〜２８のいずれかに記載のプラズマディスプレイパネル。
【請求項３０】
前記表示電極は，各放電セルに対応する維持電極と走査電極とを備え，
前記走査電極は，各放電セルの境界を通過しながら，前記境界を中心として隣り合った一対の放電セルに共通の電圧を印加することを特徴とする，請求項２６〜２９のいずれかに記載のプラズマディスプレイパネル。
【請求項３１】
前記各画素は，赤色，緑色，青色の放電セルを備えることを特徴とする，請求項２６〜３０のいずれかに記載のプラズマディスプレイパネル。
【請求項３２】
前記各画素は，３個の放電セルからなり，
前記各画素を構成する放電セルの中心は，三角形状に配置されることを特徴とする，請求項２６〜３１のいずれかに記載のプラズマディスプレイパネル。
【請求項３３】
前記各放電セルは，六角形の平面形状を持つことを特徴とする，請求項２６〜３２のいずれかに記載のプラズマディスプレイパネル。
【請求項３４】
前記放電セルは，前記第１方向に隣り合った一対の放電セルの境界の延長線が，前記第２方向に隣り合った放電セルの中心を通過するように配列されることを特徴とする，請求項２６〜３３のいずれかに記載のプラズマディスプレイパネル。
【発明の詳細な説明】
【技術分野】
【０００１】
本発明は，プラズマディスプレイパネルにかかり，より詳しくは，画素の高集積化が可能であるように画素配列と電極配列を改善したプラズマディスプレイパネルに関する。
【背景技術】
【０００２】
一般に，プラズマディスプレイパネルは，気体放電によって得られたプラズマから放射される真空紫外線が蛍光体を励起させることにより発生する赤（Ｒ），緑（Ｇ），青（Ｂ）の可視光を用いて映像を具現化するディスプレイ素子である。このようなプラズマディスプレイパネルは，６０インチ以上の超大型画面を僅か１０ｃｍ以内の厚みに実現することができ，ＣＲＴのような自発光ディスプレイ素子なので色再現力および視野角による歪み現象がないという特性を持つうえ，ＬＣＤなどに比べて製造工法が単純であって生産性およびコストの側面でも強点を持つＴＶおよび産業用平板ディスプレイとして脚光を浴びている。
【０００３】
プラズマディスプレイパネルには，３電極面放電型プラズマディスプレイパネルがある。この３電極面放電型プラズマディスプレイパネルは，同じ面上に位置した維持電極と走査電極を含んだ基板と，この基板から一定の距離をおいて垂直方向に設けられ，アドレス電極を含んだ別の基板とからなり，それらの基板の間に放電ガスを封入してある。このプラズマディスプレイパネルにおける放電有無は，各ラインに連結されて独立に制御される走査電極とアドレス電極の放電によって決定される。画面を表示する維持放電は，同じ面上に位置した維持電極と走査電極によって行われる。
【０００４】
図５および図６はそれぞれ従来のプラズマディスプレイパネルの画素および電極配列を示す平面図である。図５はストライプ型隔壁構造を持つプラズマディスプレイパネルを示しており，図６はデルタ型隔壁構造を持つプラズマディスプレイパネルを示している。
【０００５】
図５に示すように，ストライプ型隔壁構造を有するプラズマディスプレイパネルにおいて，放電セルは，放電ギャップを形成しながら対向する維持電極（Ｘｎ，．．．，Ｘｎ＋３）と走査電極（Ｙｎ，．．．，Ｙｎ＋３）との間に形成され，１画素６１は，前記放電セルのうち隣り合った赤色，緑色，青色の放電セル６１Ｒ，６１Ｇ，６１Ｂから構成される。この際，アドレス電極６５は，前記１画素６１を構成する放電セル６１Ｒ，６１Ｇ，６１Ｂそれぞれを通過するように形成される。
【０００６】
したがって，図示の如く，１６個の画素６１を考慮するとき，各画素６１当たり３個ずつ合計１２個のアドレス電極６５（Ａｍ，Ａｍ＋１，．．．，Ａｍ＋１１）が必要とされる。ところが，プラズマディスプレイパネルの高解像度化に伴って放電セルを高集積させる場合，各放電セルを通過するアドレス電極６５が益々近くなり，これにより隣り合ったアドレス電極間のキャパシタンスＣ値が増加しながら必然的にエネルギー（＝ＣＶ２ｆ）の消耗が増加せざるを得ない。
【０００７】
また，図６に示すように，デルタ型隔壁構造を持つプラズマディスプレイパネルにおいて，放電セルは，隔壁によって独立的な空間に区画され，１画素７１は，このような放電セルのうち，三角形をなしながら互いに隣接して配置される赤色，緑色，青色の放電セル７１Ｒ，７２Ｇ，７１Ｂから構成される。この際，アドレス電極７５は，前記１画素７１を構成する放電セル７１Ｒ，７１Ｇ，７１Ｂそれぞれを通過するように形成される。
【０００８】
この場合にも，図示の如く，１６個の画素７１を考慮するとき，各画素７１当たり３個ずつ合計１２個のアドレス電極７５（Ａｍ，Ａｍ＋１，．．．，Ａｍ＋１１）が必要とされる。ところが，プラズマディスプレイパネルの高解像度化に伴って放電セルを高集積させる場合，各放電セルを通過するアドレス電極７５が益々近くなり，これにより隣り合ったアドレス電極間のキャパシタンスＣ値が増加しながら必然的にエネルギー（＝ＣＶ２ｆ）の消耗が増加せざるを得ない。
【発明の開示】
【発明が解決しようとする課題】
【０００９】
そこで，本発明は，上記問題に鑑みてなされたものであり，本発明の目的とするところは，画素の配列を改善して各画素当たり対応するアドレス電極の個数を減少させることにより，高解像度パネルの製作の際に伴うアドレス消費電力の増加を抑制するとともに，アドレス回路の数を減少させて製作コストを低めることが可能な，新規かつ改良されたプラズマディスプレイパネルを提供することにある。
【課題を解決するための手段】
【００１０】
上記課題を解決するために，本発明のある観点によれば，向かい合う対向面を形成し，それらの間の空間が区画されて形成された放電セルを備える前面基板および背面基板と；前記前面基板と前記背面基板との間で第１方向に沿って形成されるアドレス電極と；前記前面基板と前記背面基板との間で前記アドレス電極と電気的に離隔し，かつ，前記第１方向と交差する第２方向に沿って形成される表示電極と；を備え，一つの画素を構成する複数の放電セルのうち，少なくとも２つが同一のアドレス電極によって駆動されることを特徴とする，プラズマディスプレイパネルが提供される。
【００１１】
かかる構成により，各画素当たりに必要なアドレス電極を減少させることが可能となり，プラズマディスプレイパネルを表示させるのに必要な消費電力等を削減することができる。
【００１２】
前記同一のアドレス電極により駆動される２つの放電セルは，互いに異なる色相の蛍光体層を有してもよい。
【００１３】
前記表示電極は，各放電セルを駆動する維持電極と走査電極とを備え，各画素に対応する走査電極とアドレス電極とは，（アドレス電極の個数：走査電極の個数＝８：３）の比となるように配列されてもよい。かかる構成により，各画素当たりに必要なアドレス電極を減少させることが可能となる。
【００１４】
前記表示電極は，各放電セルの境界を通過しながら，前記境界を中心として隣り合った一対の放電セルの中心に向かって延びる突出電極を備えていてもよい。
【００１５】
前記表示電極は，各放電セルを共に駆動する維持電極と走査電極とを備え，前記走査電極は，各放電セルの境界を通過しながら，前記境界を中心として隣り合った一対の放電セルに共通の電圧を印加することができる。
【００１６】
前記各画素は，赤色，緑色，青色の放電セルを備えていてもよい。
【００１７】
前記各画素は，３個の放電セルからなり，前記各画素を構成する放電セルの中心は，三角形状に配置されていてもよい。つまり，１つの画素を形成する互いに隣接した３つの放電セルの中心点を結んだ形状が三角形状となるように放電セルを配列する。かかる構成により，各画素当たりに必要なアドレス電極を減少させることが可能となる。
【００１８】
前記各放電セルは，六角形の平面形状であってもよい。
【００１９】
前記各放電セルは，矩形の平面形状であってもよい。
【００２０】
前記放電セルは，前記第１方向に隣り合った一対の放電セルの境界の延長線が，前記第２方向に隣り合った放電セルの中心を通過するように配列されていてもよい。
【００２１】
前記各画素を構成する副画素のいずれか２つは，前記第２方向に並んで隣接配置されていてもよい。
【００２２】
また，上記課題を解決するために，本発明の別の観点によれば，向かい合う対向面を形成し，それらの間の空間に区画されて形成される多数の放電セルを備える前面基板および背面基板と；前記前面基板と前記背面基板との間で，第１方向に沿って形成されるアドレス電極と；前記前面基板と前記背面基板との間で，前記アドレス電極と電気的に離隔し，かつ，前記第１方向と交差する第２方向に沿って形成される表示電極と；を備え，前記各アドレス電極は，少なくとも２つの互いに異なる色相を持つ放電セルに対応することを特徴とする，プラズマディスプレイパネルが提供される。
【００２３】
より詳細には，上記互いに異なる色相を有する放電セルは，任意の１つの画素を形成する，互いに異なる色相を有する３つの放電セルのうち，２つの放電セルが同一のアドレス電極により駆動（放電セル内に放電を発生）されるような配置を有している。かかる構成により，各画素当たりに必要なアドレス電極を減少させることが可能となる。
【００２４】
前記各アドレス電極に対応する，前記第１方向に隣り合った一対の放電セルは，互いに異なる色相の蛍光体層を有してもよい。
【００２５】
また，上記課題を解決するために，本発明の他の観点によれば，向かい合う対向面を形成し，それらの間の空間に区画されて形成される多数の放電セルを備える前面基板および背面基板と；前記前面基板と前記背面基板との間で第１方向に沿って形成されるアドレス電極と；前記前面基板と前記背面基板との間で前記アドレス電極と電気的に離隔し，かつ，前記第１方向と交差する第２方向に沿って形成される表示電極と；を備え，前記表示電極は，各放電セルに対応する，維持電極と走査電極とを備え，複数の放電セルが集まって形成された各画素に対応する，走査電極とアドレス電極とは，（アドレス電極の個数：走査電極の個数＝８：３）の比となるように配列されることを特徴とする，プラズマディスプレイパネルが提供される。
【００２６】
かかる構成により，各画素当たりに必要なアドレス電極を減少させることが可能となる。
【００２７】
また，上記課題を解決するために，本発明の他の観点によれば，向かい合う対向面を形成し，それらの間の空間に区画されて形成される放電セルを備える，前面基板および背面基板と；前記前面基板と前記背面基板との間で第１方向に沿って形成されるアドレス電極と；前記前面基板と前記背面基板との間で前記アドレス電極と電気的に離隔し，かつ，前記第１方向と交差する第２方向に沿って形成される表示電極と；を備え，複数の放電セルが集まって形成された各画素には，２つのアドレス電極が対応することを特徴とする，プラズマディスプレイパネルが提供される。
【００２８】
かかる構成により，各画素当たりに必要なアドレス電極を減少させることが可能となる。
【００２９】
前記表示電極は，各放電セルに対応する維持電極と走査電極とを備え，前記走査電極は，各画素に３／４個が対応するとしてもよい。かかる構成により，各画素当たりに必要なアドレス電極を減少させることが可能となる。
【発明の効果】
【００３０】
以上説明したように本発明によれば，画素を構成する３個の副画素中の２つを同一のアドレス電極と対応するように画素配列構造を改善して各画素当たり対応するアドレス電極の個数を減少させることにより，高解像度パネルの製作の際に伴うアドレス消費電力の増加を抑制することができるという効果がある。
【００３１】
また，前述したようにパネル全体に必要なアドレス電極の個数を減少させることにより，アドレス回路の数を減少させて製作コストを削減することができるという効果がある。
【発明を実施するための最良の形態】
【００３２】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３３】
図１は，本発明の第１実施形態にかかるプラズマディスプレイパネルを部分的に示す分解斜視図である。
【００３４】
図１に示すように，本実施形態にかかるプラズマディスプレイパネルは，赤色，緑色，青色の３個の副画素の中心点を結んだ平面図形が，三角形状に配列されて，一組の画素を形成する，いわゆるデルタ型プラズマディスプレイパネルから構成されている。
【００３５】
これをより具体的に考察すると，まず，前記プラズマディスプレイパネルは，任意の間隔をおいて実質的に平行に配置される背面基板１０と前面基板３０とを備える。
【００３６】
前記背面基板１０と前記前面基板３０との間には，画素１２０が画定され，背面基板１０または前面基板３０と平行な面で切り出した平面に，所定のパターンを有し，所定の高さの隔壁２３が配置される。ここで，一組の画素１２０は，前述したように，中心点を結んだ平面図形が，三角形状に配列される３個の副画素１２０Ｒ，１２０Ｇ，１２０Ｂが集まって構成される。
【００３７】
この際，前記副画素１２０Ｒ，１２０Ｇ，１２０Ｂは，それぞれ放電セル１８を持っているが，これらの放電セル１８は，隔壁２３によって画定される。
【００３８】
本実施形態において，前記それぞれの副画素１２０Ｒ，１２０Ｇ，１２０Ｂの平面形状は略六角形状からなり，これらを画定する隔壁２３も六角形を成すように形成される。よって，各副画素１２０Ｒ，１２０Ｇ，１２０Ｂの放電セル１８は，上部が開口した六角箱状をする。
【００３９】
前記放電セル１８内には，プラズマ放電に必要なＸｅ，Ｎｅなどを含む放電ガスが提供され，前記赤色，緑色，青色の副画素１２０Ｒ，１２０Ｇ，１２０Ｂには，それぞれに対応する赤色，緑色，青色の蛍光体層２５がそれぞれ形成される。ここで，これらの蛍光体層２５は，前記放電セル１８の底面と前記隔壁２３の側面に形成される。
【００４０】
また，前記背面基板１０上には，アドレス電極１５が一方向（図上のｙ軸方向）に沿って並んで複数形成され，各放電セル１８の下方（背面基板と隔壁層との間）を通過するように配置される。これと共に，前記アドレス電極１５上には，誘電層１２がこれらを覆うように前記背面基板１０の全面に形成され，誘電層１２は，前記隔壁２３が形成される層の下部に配置される。
【００４１】
一方，前記前面基板３０上には，その一方向（図上のｘ軸方向）に沿って並んで配置される表示電極３５が複数形成される。この際，この表示電極３５は，各放電セル１８において，電圧がかけられた際に，放電セル内で放電を発生させる，放電ギャップを形成するように配置された維持電極３２と走査電極３４とをそれぞれ含んでいる。前記維持電極３２と走査電極３４とは，それぞれ，前記前面基板３０の一方向（図上のｘ軸方向）に前記隔壁２３の形状に沿って並んで形成されるバス電極３２ａ，３４ａと，このバス電極３２ａ，３４ａから突設されて，前記副画素１２０Ｒ，１２０Ｇ，１２０Ｂの放電セル１８内に配置される透明電極３２ｂ，３４ｂとを含んで構成される。
【００４２】
前記バス電極３２ａ，３４ａは，金属材料からなることが好ましく，前記隔壁２３の形状に対応して配置されるため，前記前面基板３０の一方向からみてジグザグ状のパターンに形成される。このようなバス電極３２ａ，３４ａは，プラズマディスプレイパネルの駆動の際に，放電セル１８で生成される可視光を遮蔽させないようにするため，できる限りその幅を最小化して隔壁２３の上端に配置されてもよい。
【００４３】
さらに，前記透明電極３２ｂ，３４ｂは，ＩＴＯ（Ｉｎｄｉｕｍ  Ｔｉｎ  Ｏｘｉｄｅ）などの透明材質からなり，一つのバス電極３２ａ，３４ａからこれを基準としてお互いに隣接している一対の放電セル１８内にそれぞれ配置される。したがって，一つの放電セル１８内には，所定の間隔をおいて一対の透明電極３２ｂ，３４ｂが対向して配置される。
【００４４】
また，前記前面基板３０上には，前記表示電極３５を覆うように前面基板３０の全面に誘電層（図示せず）が塗布され，この誘電層上には，ＭｇＯからなる保護膜（図示せず）がさらに塗布される。
【００４５】
図２は，本発明の第１実施形態にかかるプラズマディスプレイパネルの画素および電極配列の一部分を示す平面図である。
【００４６】
図２を参照すると，本実施形態において，各画素１２０には，２つのアドレス電極１５，１５が対応する。前記各画素１２０は，赤色，緑色，青色の３個の副画素１２０Ｒ，１２０Ｇ，１２０Ｂからなり，これらの各画素１２０を構成する副画素１２０Ｒ，１２０Ｇ，１２０Ｂの中心は，三角形状に配置される。この際，前記一つの画素１２０を構成する副画素１２０Ｒ，１２０Ｇ，１２０Ｂのうち少なくとも２つは，同一のアドレス電極１５に対応して駆動される。
【００４７】
本実施形態において，前記各副画素１２０Ｒ，１２０Ｇ，１２０Ｂを構成する放電セル１８は，六角形の平面形状を有し，前記アドレス電極１５と平行な方向（図上のｙ軸方向）に沿って並んで，隣り合った一対の放電セル１８の境界の延長線が，前記アドレス電極１５と交差する方向（図上のｘ軸方向）に沿って並んで，隣り合った放電セル１８の中心を通過するように配列される。
【００４８】
一方，前記表示電極３５は，走査電極３４と維持電極３２からなる。その中でも，走査電極３４は，各放電セル１８の境界を通過しながら，前記境界を中心として隣り合った一対の放電セル１８に共通の電圧を印加する。また，維持電極３２も，各放電セル１８の境界を通過しながら，前記境界を中心として隣り合った一対の放電セル１８に共通の電圧を印加する。したがって，このような走査電極３４と維持電極３２とは，前記アドレス電極１５の延長方向に沿って交互に配置され，それぞれ一対の放電セル１８の駆動を制御する。各画素１２０を通過する走査電極３４の透明電極３４ｂ（突出電極）を考慮するとき，合計４個中の３個が一つの画素１２０に対応するので，前記走査電極３４は各画素１２０に３／４個が対応する。
【００４９】
つまり，互いに隣り合う六角形状の３個の放電セル１８により，１つの画素１２０が形成されている場合，該３個の放電セル１８のうち，２個の放電セル１８に対して一本の直線的に延びたアドレス電極１５が，残りの１個の放電セル１８に一本のアドレス電極１５が通過する。
【００５０】
さらに，上記透明電極３４ｂは，該アドレス電極１５が延びる方向に並んで配置されていてもよい。
【００５１】
また，直線的に延びたアドレス電極１５は，六角形状の放電セル１８の互いに対向する一対の辺に対して直交し，かつ，六角形状の中心を通るように配置されていてもよい。
【００５２】
該画素１２０の放電セル１８内に放電を発生させる維持電極３２の透明電極３４ｂは２個存在し，該透明電極３４ｂと対向する位置に形成された２本の走査電極３４の透明電極３４ｂは合計４個（それぞれ２個）存在するが，このうち，該画素１２０の放電セル１８内に放電を発生させる走査電極３４の透明電極３４ｂは，３個のみである（図２を参照）。
【００５３】
本実施形態のように，各画素１２０に２つのアドレス電極１５が対応し，３／４個の走査電極３４が対応する場合，各画素１２０に対応するアドレス電極１５と走査電極３４は，次の数式１の比を満足する。
【００５４】
アドレス電極の個数：走査電極の個数＝８：３  ・・・（数式１）
【００５５】
図２に示した例では，横方向に４列の画素１２０が配列され，縦方向に４行の画素１２０が配列されるので，合計１６個の画素１２０が配置される。この際，アドレス電極１５は，各画素列当たり２つずつ対応するので，合計８個のアドレス電極１５（Ａｍ，Ａｍ＋１，．．．，Ａｍ＋７）が対応し，走査電極３４は，各画素行当たり３／４個ずつ対応するので，合計３個の走査電極３４（Ｙｎ，Ｙｎ＋１，Ｙｎ＋２）が対応する。維持電極３２は，前記各画素１２０毎に，走査電極３２の個数と同様に，Ｘｎ，Ｘｎ＋１，Ｘｎ＋２が配置される。
【００５６】
こうして形成される画素配列において，前記同一のアドレス電極１５に対応する隣接した２つの副画素１２０Ｇ，１２０Ｂは，異なる色相の蛍光体層を有する。また，このように対応しながら，一つのアドレス電極１５には，異なる色相の蛍光体層を有する副画素１２０Ｒ，１２０Ｇ，１２０Ｂが全て対応できる。
【００５７】
これを図５および図６に示した従来のプラズマディスプレイパネルと比較すると，４×４の画素，すなわち合計１６個の画素を考慮する場合，従来では，合計１２個のアドレス電極が必要であったが，これに対し，本実施形態では，合計８個のアドレス電極のみが必要とされ，同一の画素数を維持しながらも，アドレス電極の個数を減少させることができるという効果がある。
【００５８】
図３は，本発明の第２実施形態にかかるプラズマディスプレイパネルの画素および電極配列の一部分示す平面図である。
【００５９】
本実施形態において，前記各画素２２０Ｒ，２２０Ｇ，２２０Ｂを構成する放電セル２８は，矩形の平面形状を有し，前記アドレス電極１５と平行な方向（図上のｙ軸方向）に沿って並び，かつ，隣り合った一対の放電セル２８の境界の延長線が，前記アドレス電極１５と交差する方向（図上のｘ軸方向）に隣り合った放電セル２８の中心を通過するように配列される。
【００６０】
図３を参照すると，本実施形態においても，各画素２２０には２つのアドレス電極１５，１５が対応する。前記各画素２２０は，赤色，緑色，青色の３個の副画素２２０Ｒ，２２０Ｇ，２２０Ｂからなり，これらの各画素２２０を構成する副画素２２０Ｒ，２２０Ｇ，２２０Ｂの中心は，三角形状に配置される。つまり，副画素２２０Ｒ，２２０Ｇ，２２０Ｂの中心点を結ぶと三角形が形成される。この際，前記一つの画素２２０を構成する副画素２２０Ｒ，２２０Ｇ，２２０Ｂのうち少なくとも２つは，同一のアドレス電極１５により駆動される。
【００６１】
一方，表示電極３５は，走査電極３４と維持電極３２とからなる。その中でも，走査電極３４は，各放電セル２８の境界を通過しながら，前記境界を中心として隣り合った一対の放電セル２８に，共通の電圧を印加する。また，維持電極３２も，各放電セル２８の境界を通過しながら，前記境界を中心として隣り合った一対の放電セル２８に共通の電圧を印加する。したがって，このような走査電極３４と維持電極３２とは，前記アドレス電極１５の延長方向に沿って，交互に配置され，それぞれ一対の放電セル２８の駆動を制御する。
【００６２】
各画素２２０を通過する走査電極３４の突出電極３４ｂを考慮するとき，合計４個中の３個が一つの画素２２０に対応するので，前記走査電極３４は，各画素２２０に３／４個が対応する。したがって，本実施形態の場合にも，各画素２２０に対応するアドレス電極１５と走査電極３４とは，前記数式１の比を満足する。
【００６３】
この場合も，アドレス電極１５は，矩形の放電セル２８の互いに対向する一対の辺に直交し，該放電セル２８の中心を通るように形成され，かつ，該放電セル２８を形成する隔壁上に位置する走査電極３２および維持電極３４とは直交するように形成されていてもよい（図３を参照）。
【００６４】
図３に示した例では，横方向に４列の画素２２０が配列され，縦方向に４行の画素２２０が配列されるので，合計１６個の画素２２０が配置される。この際，アドレス電極１５は，各画素列当たり２つずつ対応するので，合計８個のアドレス電極１５（Ａｍ，Ａｍ＋１，．．．，Ａｍ＋７）が対応し，走査電極３４は，各画素行当たり３／４個ずつ対応するので，合計３個の走査電極３４（Ｙｎ，Ｙｎ＋１，Ｙｎ＋２）が対応する。維持電極３２は，前記各画素２２０毎に，走査電極３２の個数と同様に，Ｘｎ，Ｘｎ＋１，Ｘｎ＋２が配置される。
【００６５】
このように形成される画素配列において，前記同一のアドレス電極１５に対応する隣接した２つの副画素２２０Ｇ，２２０Ｂは，互いに異なる色相の蛍光体層を有する。また，このように対応しながら，一つのアドレス電極１５には，異なる色相の蛍光体層を有する副画素２２０Ｒ，２２０Ｇ，２２０Ｂが全て対応できる。
【００６６】
これを図５および図６に示した従来のプラズマディスプレイパネルと比較するとき，４×４の画素，すなわち合計１６個の画素を考慮する場合，従来では，合計１２個のアドレス電極が必要であったが，これに対し，本実施例では，合計８個のアドレス電極のみが必要とされるため，同一の画素数を維持しながらもアドレス電極の個数を減少させることができるという効果がある。
【００６７】
図４は，本発明の第３実施形態にかかるプラズマディスプレイパネルの画素および電極配列を一部分示す平面図である。
【００６８】
図４に示すように，本実施形態において，各副画素３２０Ｒ，３２０Ｇ，３２０Ｂを構成する放電セル３８は，矩形の平面形状を持つ。また，一つの画素３２０を構成する副画素３２０Ｒ，３２０Ｇ，３２０Ｂの中心は，三角形状に配置される。この際，前記三角形は，直角三角形である。したがって，一つの画素３２０を構成する副画素３２０Ｒ，３２０Ｇ，３２０Ｂのいずれか２つは，前記アドレス電極１５の延長方向に並んで隣接配置され，かつ前記副画素３２０Ｒ，３２０Ｇ，３２０Ｂのいずれか２つは，アドレス電極１５と交差する方向に並んで隣接配置される。
【００６９】
図４を参照すると，本実施例においても，各画素３２０には，２つのアドレス電極１５，１５が対応する。前記各画素３２０は，赤色，緑色，青色の３個の各画素３２０Ｒ，３２０Ｇ，３２０Ｂから構成される。この際，前記一つの画素３２０を構成する副画素３２０Ｒ，３２０Ｇ，３２０Ｂのうち，少なくとも２つは，同一のアドレス電極１５に対応して駆動される。
【００７０】
一方，表示電極１３５は，走査電極１３４と維持電極１３２とからなる。その中でも，走査電極１３４は，各放電セル３８の境界を通過しながら，前記境界を中心として隣り合った一対の放電セル３８に共通の電圧を印加する。また，維持電極１３２も，各放電セル３８の境界を通過しながら，前記境界を中心として隣り合った一対の放電セル３８に共通の電圧を印加する。したがって，このような走査電極１３４と維持電極１３２とは，前記アドレス電極１５の延長方向に沿って交互に配置され，それぞれ一対の放電セル３８の駆動を制御する。
【００７１】
各画素３２０を通過する走査電極１３４の突出電極１３４ｂを考慮するとき，合計４個中の３個が一つの画素３２０に対応するので，前記走査電極１３４は，各画素３２０に３／４個が対応する。したがって，本実施形態の場合にも，各画素３２０に対応するアドレス電極１５と走査電極１３４とは，前記数式１の比を満足する。
【００７２】
この場合も，１つの画素３２０を形成する３つの副画素３２０Ｒ，３２０Ｇ，３２０Ｂの中心点を結んだ図形が三角形となるように，画素３２０が形成され，さらに，アドレス電極１５が，矩形の副画素を形成する４辺のうち，互いに対向する２辺に直交し，走査電極１３４と維持電極１３２とに直交するように形成されていてもよい。
【００７３】
図４に示した例では，横方向に４列の画素３２０が配列され，縦方向に４行の画素３２０が配列されるので，合計１６個の画素３２０が配置される。この際，アドレス電極１５は，各画素列当たり２つずつ対応するので，合計８個のアドレス電極１５（Ａｍ，Ａｍ＋１，．．．，Ａｍ＋７）が対応し，走査電極１３４は，各画素行当たり３／４個ずつ対応するので，合計３個の走査電極１３４（Ｙｎ，Ｙｎ＋１，Ｙｎ＋２）が対応する。維持電極１３２は，前記各画素３２０毎に，走査電極１３２の個数と同様に，Ｘｎ，Ｘｎ＋１，Ｘｎ＋２が配置される。
【００７４】
このように形成される画素配列において，前記同一のアドレス電極１５に対応する隣接した２つの副画素３２０Ｇ，３２０Ｂは，互いに異なる色相の蛍光体を有する。また，このように対応しながら，一つのアドレス電極１５には，異なる色相の蛍光体層を有する副画素３２０Ｒ，３２０Ｇ，３２０Ｂが全て対応できる。
【００７５】
これを図５および図６に示した従来のプラズマディスプレイパネルと比較するとき，４×４の画素，すなわち合計１６個の画素を考慮する場合，従来では，合計１２個のアドレス電極が必要であったが，これに対し，本実施形態では，合計８個のアドレス電極のみが必要とされるため，同一の画素数を維持しながらもアドレス電極の個数を減少させることができるという効果がある。
【００７６】
表１は，本発明の実施形態にかかるプラズマディスプレイパネルと，本発明の実施形態とは異なる比較例にかかるプラズマディスプレイパネルとのアドレス電極端子数や消費電力などを比較した結果である。
【００７７】
実施例１は，解像度１９２０×１０８０（ＦＨＤ級）のデュアル駆動方式である本発明の実施形態にかかるプラズマディスプレイパネルであり，比較例１は，解像度１９２０×１０８０（ＦＨＤ級）のデュアル駆動方式である，ストライプ型副画素配列を持つプラズマディスプレイパネルであり，比較例２は，解像度１９２０×１０８０（ＦＨＤ級）のデュアル駆動方式である，デルタ型副画素配列を持つプラズマディスプレイパネルである。比較例３は，解像度１９２０×１０８０（ＦＨＤ級）のシングル駆動方式である，ストライプ型（またはデルタ型）副画素配列を持つプラズマディスプレイパネルであり，比較例４は，解像度１３６６×７６８のシングル駆動方式である，ストライプ型（デルタ型）副画素配列を持つプラズマディスプレイパネルであり，比較例５は，解像度１２８０×７２０のシングル駆動方式である，ストライプ型（デルタ型）副画素配列を持つプラズマディスプレイパネルである。
【００７８】
表１において，アドレス電極消費電力，アドレス電極回路当たりの熱，およびアドレス電極回路当たりのピーク電力（ｐｅａｋ  ｐｏｗｅｒ）は，比較例４を１．００とした時の相対値を示す。実施例１としているのが，本発明にかかる実施形態による結果である。
【００７９】
【表１】
2006332065.tif 000003
【００８０】
表１に示すように，比較例１〜３において，解像度１９２０×１０８０の場合，アドレス電極の数は５７６０個が必要とされる。アドレス電極の端子数とスキャンライン数とが増加すると，アドレス電力が増加し，かつ，隣接した放電セルとの距離が近くなることにより，クロストークおよび浮遊容量の増加による消費電力の増加をもたらす。
【００８１】
ところが，実施例１では，解像度が１９２０×１０８０であるにも拘わらず，アドレス電極の端子数が３８４０個に大幅減少し，これにより同級の解像度を示す例の中でも最も少ないアドレス消費電力を消耗し，アドレス回路当たり発生する熱も最も少なく，アドレス回路当たりのピーク電力も最も小さいことを確認することができる。
【００８２】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００８３】
本発明は，プラズマディスプレイパネルに適用可能であり，特に，画素の高集積化が可能であるように画素配列と電極配列を改善したプラズマディスプレイパネルに適用可能である。
【図面の簡単な説明】
【００８４】
【図１】本発明の第１実施形態にかかるプラズマディスプレイパネルを部分的に示す分解斜視図である。
【図２】本発明の第１実施形態にかかるプラズマディスプレイパネルの画素および電極配列を一部分示す平面図である。
【図３】本発明の第２実施形態にかかるプラズマディスプレイパネルの画素および電極配列を一部分示す平面図である。
【図４】本発明の第３実施形態にかかるプラズマディスプレイパネルの画素および電極配列を一部分示す平面図である。
【図５】従来のプラズマディスプレイパネルの画素および電極配列を一部分示す平面図である。
【図６】従来のプラズマディスプレイパネルの画素および電極配列を一部分示す平面図である。
【符号の説明】
【００８５】
１０    背面基板
１２    誘電層
１５    アドレス電極
１８    放電セル
２３    隔壁
２５    蛍光体層
３０    前面基板
３２    維持電極
３２ｂ    突出電極（透明電極）
３４    走査電極
３５    表示電極
３８    放電セル
１２０    画素
１２０Ｒ，１２０Ｇ，１２０Ｂ    副画素
１３２    維持電極
１３４    走査電極
１３５    表示電極
２２０    画素
２２０Ｒ，２２０Ｇ，２２０Ｂ    副画素
３２０    画素
３２０Ｒ，３２０Ｇ，３２０Ｂ    副画素
【図１】
2006332065.tif 000004
【図２】
2006332065.tif 000005
【図３】
2006332065.tif 000006
【図４】
2006332065.tif 000007
【図５】
2006332065.tif 000008
【図６】
2006332065.tif 000009